(57)【要約】    【課題】  縮れ毛のある人が自分で縮毛矯正作業を行い易く、毛髪に適正な張力を与え易くする。    【解決手段】  ピンセット型の柄３、４は、柄３にパーマ剤付着用ブラシ５と毛髪緊張用第１ブラシ６を、他の柄４に毛髪緊張用第２ブラシ７を設けた。柄３、４は、突状部４１と溝状部４２が柄の開放時に浅く、閉鎖時に深く嵌合している側方ずれ防止機構と、柄の閉鎖時に突状部４１と溝状部４２が当たって両ブラシ６、７の相対位置がほぼ一定になる定位置機構を設けた。両ブラシ６、７は、植毛の長さをほぼ同じにした。両ブラシ間に頭髪の毛髪群を挿入し、柄を閉鎖すると、毛髪群が両ブラシに挟まれ、両ブラシの植毛が噛み合う。突状部と溝状部を当てると、両ブラシの植毛噛み合い深さが植毛の長さとほぼ同じになる。両ブラシの並列した植毛の間に毛髪が挟まれる。両ブラシを、毛髪群を挟んだ状態を維持して毛先側に移動させると、毛髪群が緊張する。【選択図】  図１
2006102363.tif 000002
【特許請求の範囲】
【請求項１】
片手で握る二本の柄は、ピンセット型に連結し、片側の柄に、パーマ剤付着用ブラシと毛髪緊張用第１ブラシを外向きと内向きの背中合わせに設け、他の柄に、毛髪緊張用第１ブラシと向い合う毛髪緊張用第２ブラシを設け、
パーマ剤付着用ブラシは、台座面の両側辺部にそれぞれ多数の髪梳き用歯を櫛形状に配列し、両側の髪梳き用歯を先広状態に配置し、両側の髪梳き用歯の内側位置にパーマ剤保持用歯を配置し、パーマ剤保持用歯が突出した台座面にパーマ剤を付着して保持する構成にし、
ピンセット型の両側の柄が開放しているときに、毛髪緊張用の第１ブラシと第２ブラシとの間に頭髪の毛髪群を挿入し、その挿入状態で両側の柄を閉鎖する構成にし、
両側の柄は、向い合う内面に突状部と溝状部を形成し、突状部と溝状部が両側の柄の開放時に浅く、閉鎖時に深く嵌合している側方ずれ防止機構を設け、両側の柄の閉鎖時に第１ブラシと第２ブラシが側方にずれるのを防止する構成にし、
第１ブラシと第２ブラシは、内面に多数の毛を植えて植毛ブラシにし、両ブラシの植毛の長さをほぼ同じにし、両側の柄の閉鎖時に、両ブラシの一方の植毛が他方の植毛の間に入り込んで両ブラシの植毛が噛み合う構成にし、
両側の柄の閉鎖時に突状部と溝状部が当たって第１ブラシと第２ブラシの相対位置がほぼ一定になる定位置機構を設け、両側の柄の閉鎖時に両ブラシの植毛噛み合い深さが植毛の長さとほぼ同じになる構成にし、
両側の柄の開放時に第１ブラシと第２ブラシとの間に両ブラシを横断する方向に沿って頭髪の毛髪群を挿入し、両側の柄を側方ずれ防止機構の突状部と溝状部との嵌合を維持して閉鎖すると、毛髪群が両ブラシに挟まれ、両ブラシの植毛が噛み合い、定位置機構の突状部と溝状部を当てると、両ブラシの植毛噛み合い深さが植毛の長さとほぼ同じになり、両ブラシの並列した植毛の間に毛髪が挟まれ、両ブラシを、毛髪群を挟んだ状態を維持して毛髪群の毛先側に移動させると、毛髪群が緊張して真っ直ぐに伸ばされる構成にしたことを特徴とする縮毛矯正用具。
【請求項２】
第１ブラシと第２ブラシとの植毛には、動物の天然毛と合成樹脂の人工毛とを混ぜ合わせて使用したことを特徴とする請求項１に記載の縮毛矯正用具。
【請求項３】
第２ブラシの先端には、第１ブラシの先端位置から突き出る毛髪導入部を設け、
毛髪導入部は、毛髪群を導く内面を、第２ブラシに近づくに従って高くなる斜面にし、斜面の最高端を第２ブラシの植毛の先端位置から少し突き出したことを特徴とする請求項１又は２に記載の縮毛矯正用具。
【請求項４】
請求項１、２又は３に記載の縮毛矯正用具を使用する第１パーマ剤付着工程と毛髪緊張加熱工程とを有する縮毛矯正方法であって、
第１パーマ剤付着工程では、縮毛矯正用具のパーマ剤付着用ブラシは、パーマ剤保持用歯付き台座面に第１パーマ剤を付着して保持し、両側の髪梳き用歯の先端を頭皮に接触し、髪梳き用歯をその歯列と交差する方向に頭皮に沿って移動し、先端が先行する傾斜状態で移動する髪梳き用歯で頭髪を梳き上げ、その頭髪に台座面の第１パーマ剤を塗布し、第１パーマ剤付きの頭髪を髪梳き用歯で解いて、頭髪に第１パーマ剤を馴染ませ、頭髪を、しばらく放置し、すすぎ洗いし、半乾きにし、頭髪に第１パーマ剤を浸透させる、
毛髪緊張加熱工程では、縮毛矯正用具の両側の柄を片手で握り、両側の柄の開放時に第１ブラシと第２ブラシとの間に両ブラシを横断する方向に沿って頭髪の一部の毛髪群を挿入し、その状態で両側の柄を強く握り、両側の柄を側方ずれ防止機構の突状部と溝状部との嵌合を維持して閉鎖し、毛髪群を両ブラシに挟み、両ブラシの植毛を噛み合わせ、定位置機構の突状部と溝状部を当て、両ブラシの植毛噛み合い深さを植毛の長さとほぼ同じにし、両ブラシの並列した植毛の間に毛髪を挟み、両ブラシを、毛髪群を挟んだ状態を維持して毛髪群の毛先側に移動させ、毛髪群を緊張して真っ直ぐに伸ばし、他の片手にドライヤを持ち、ドライヤで熱風を、真っ直ぐに伸ばされた毛髪群に吹き付け、毛髪群を、真っ直ぐに伸ばされた緊張状態で加熱して乾燥し、その後、片手に持った縮毛矯正用具の両側の柄を開放し、頭髪の他の一部を、前回と同様に、第１ブラシと第２ブラシとの間に挿入し、両側の柄を閉鎖し、毛髪群を両ブラシに挟み、両ブラシの植毛を噛み合わせ、定位置機構の突状部と溝状部を当て、両ブラシの植毛噛み合い深さを植毛の長さとほぼ同じにし、両ブラシの並列した植毛の間に毛髪を挟み、両ブラシを毛髪群の毛先側に移動させ、毛髪群を緊張して真っ直ぐに伸ばし、他の片手に持ったドライヤで熱風を、真っ直ぐに伸ばされた毛髪群に吹き付ける、ことを特徴とする縮毛矯正方法。
【発明の詳細な説明】
【技術分野】
【０００１】
本発明は、頭髪の縮れ毛を真っ直ぐに矯正する縮毛矯正の技術に関する。
【背景技術】
【０００２】
頭髪の縮れ毛は、第１パーマ剤付着工程、毛髪緊張加熱工程と第２パーマ剤付着工程を順次経て、真っ直ぐに矯正される。第１パーマ剤付着工程と毛髪緊張加熱工程に使用する縮毛矯正用具が特許文献１に開示されている。これを使用すると、頭髪に縮れ毛のある人が自分で縮毛矯正作業を行い易い。
【０００３】
この縮毛矯正用具は、合成樹脂成形品であり、片手で握る二本の柄をピンセット型に連結している。片側の柄には、パーマ剤付着用ブラシとブロー用ブラシを外向きと内向きの背中合わせに設けている。他の柄には、ブロー用ブラシと向い合う髪押え部を設けている。髪押え部の先端には、髪掬い部を設けている。
【０００４】
パーマ剤付着用ブラシは、台座面の両側辺部にそれぞれ多数の髪梳き用歯を櫛形状に配列し、両側の髪梳き用歯を先広状態に配置している。両側の髪梳き用歯の内側位置には、パーマ剤保持用歯を配置している。
【０００５】
ブロー用ブラシと髪押え部は、それらの間に頭髪の毛髪群を挟む構成にしている。ブロー用ブラシは、植毛ブラシであり、髪押え部と対面する内面に多数の毛を植え、植毛の毛先を密集している。髪押え部は、ブロー用ブラシと対面する内面に、これを横断する方向に貫通する多数の毛髪案内溝を並列している。髪掬い部は、先細形状にし、掬った頭髪の毛髪群が乗る内面を髪押え部の毛髪案内溝付き内面に接続している。
【０００６】
第１パーマ剤付着工程では、縮毛矯正用具のパーマ剤付着用ブラシは、パーマ剤保持用歯付き台座面に第１パーマ剤を付着して保持する。そして、両側の髪梳き用歯は、先端を頭皮に接触し、その歯列と交差する方向に頭皮に沿って移動する。すると、髪梳き用歯は、先端が先行する傾斜状態で移動して頭髪が梳き上げられ、その頭髪に台座面の第１パーマ剤が塗布される。第１パーマ剤付きの頭髪は、髪梳き用歯で解いて、頭髪に第１パーマ剤を馴染ませる。第１パーマ剤が馴染んだ頭髪は、しばらく放置し、すすぎ洗いし、半乾きにする。頭髪には、第１パーマ剤が浸透する。
【０００７】
毛髪緊張加熱工程では、縮毛矯正用具の両側の柄を片手で握る。そして、髪掬い部と髪押え部は、頭髪内に挿入し、頭髪の一部を髪掬い部で掬って髪押え部上に乗せ、頭髪の毛髪群を髪押え部と交差させる。その状態で両側の柄を強く握り、髪押え部上の毛髪群をブロー用ブラシとの間に挟む。次に、髪押え部とブロー用ブラシは、毛髪群を挟んだ状態を維持して毛髪群の毛先側に移動させ、毛髪群を緊張して真っ直ぐに伸ばす。他の片手にはドライヤを持ち、ドライヤで熱風を、真っ直ぐに伸ばされた毛髪群に吹き付ける。その後、頭髪は、他の一部を、前回と同様に、片手に持った縮毛矯正用具の髪掬い部で掬って髪押え部上に乗せる。髪押え部上の毛髪群は、ブロー用ブラシとの間に挟む。ブロー用ブラシと髪押え部は、毛髪群の毛先側に移動させ、毛髪群を緊張して真っ直ぐに伸ばす。その毛髪群には、他の片手に持ったドライヤで熱風を吹き付ける。
【０００８】
【特許文献１】特開２００３−３１０３３４号公報
【発明の開示】
【発明が解決しようとする課題】
【０００９】
縮毛矯正の原理は、第１パーマ剤付着工程で、毛髪の縮れ状態の形状保持能力を弱める。毛髪緊張加熱工程で、毛髪の真っ直ぐ緊張状態での加熱によって、毛髪の縮れ状態の形状保持能力を更に弱め、毛髪を真っ直ぐにする。第２パーマ剤付着工程で、毛髪の真っ直ぐ状態の形状保持能力を回復し、毛髪を真っ直ぐ状態に固定する。
【００１０】
毛髪緊張加熱工程で、毛髪の張力が低いと、毛髪の縮れ状態の形状保持能力が十分に弱まらず、縮毛矯正の効果が低くなる。逆に、毛髪の張力が高いと、毛髪が切れ易くなる。形状保持能力が弱まった毛髪は、傷付き易く、切れ易い。損傷を受け易い。毛髪に与える張力は、縮毛矯正の効果と毛髪の損傷に大きな影響を与え、その適正範囲が狭い。毛髪に適正な張力を与えるには、経験を要し、容易ではない。毛髪に適正な張力を与え易いことが望まれる。
【００１１】
上記の縮毛矯正用具は、髪押え部とブロー用ブラシで頭髪の毛髪群を挟んだ状態を維持して、毛髪群の毛先側に移動させる際、毛髪に適正な張力を与えるのに、経験を要する。
【００１２】
髪押え部とブロー用ブラシで頭髪の毛髪群を挟んだ状態を詳細に観察すると、変形し難い髪押え部に当たっている毛髪は、強く引っ張られて張力が高くなる。変形し易いブロー用ブラシの植毛に当たっている毛髪は、弱く引っ張られて張力が低くなる。髪押え部にもブロー用ブラシにも当たっていない毛髪は、更に張力が低くなる。毛髪群は、毛髪の張力が均等になり難い。その上、硬い髪押え部に擦られる毛髪は、傷付いたり、切れたりすることがある。
【００１３】
また、縮毛矯正用具は、ピンセット型の両側の柄を強く握り、髪押え部とブロー用ブラシで頭髪の毛髪群を挟む際、髪押え部とブロー用ブラシが正面衝突せず、一方が他方の正面から左側又は右側の側方にずれることがある。髪押え部とブロー用ブラシが頭髪の毛髪群を挟んで正面衝突しないと、毛髪群を確実に挟むことができない。毛髪群は、確実に挟まないと、適正な張力を与え難い。
【００１４】
その上、ピンセット型の両側の柄を強く握ったとき、接近した両側の柄の間の距離が一定にならず、髪押え部とブロー用ブラシで毛髪群を挟む力がばらつく。毛髪群を挟む力が強すぎると、ブロー用ブラシの植毛が折れたり、毛髪が損傷を受けたりする。逆に、毛髪群を挟む力が弱すぎると、毛髪群は、緊張されない。
【課題を解決するための手段】
【００１５】
１）縮毛矯正用具は、片手で握る二本の柄をピンセット型に連結し、片側の柄に、パーマ剤付着用ブラシと毛髪緊張用第１ブラシを外向きと内向きの背中合わせに設け、他の柄に、毛髪緊張用第１ブラシと向い合う毛髪緊張用第２ブラシを設けた。
パーマ剤付着用ブラシは、台座面の両側辺部にそれぞれ多数の髪梳き用歯を櫛形状に配列し、両側の髪梳き用歯を先広状態に配置し、両側の髪梳き用歯の内側位置にパーマ剤保持用歯を配置し、パーマ剤保持用歯が突出した台座面にパーマ剤を付着して保持する構成にした。
ピンセット型の両側の柄が開放しているときに、毛髪緊張用の第１ブラシと第２ブラシとの間に頭髪の毛髪群を挿入し、その挿入状態で両側の柄を閉鎖する構成にした。
両側の柄は、向い合う内面に突状部と溝状部を形成し、突状部と溝状部が両側の柄の開放時に浅く、閉鎖時に深く嵌合している側方ずれ防止機構を設け、両側の柄の閉鎖時に第１ブラシと第２ブラシが側方にずれるのを防止する構成にした。
第１ブラシと第２ブラシは、内面に多数の毛を植えて植毛ブラシにし、両ブラシの植毛の長さをほぼ同じにし、両側の柄の閉鎖時に、両ブラシの一方の植毛が他方の植毛の間に入り込んで両ブラシの植毛が噛み合う構成にした。
両側の柄の閉鎖時に突状部と溝状部が当たって第１ブラシと第２ブラシの相対位置がほぼ一定になる定位置機構を設け、両側の柄の閉鎖時に両ブラシの植毛噛み合い深さが植毛の長さとほぼ同じになる構成にした。
両側の柄の開放時に第１ブラシと第２ブラシとの間に両ブラシを横断する方向に沿って頭髪の毛髪群を挿入し、両側の柄を側方ずれ防止機構の突状部と溝状部との嵌合を維持して閉鎖すると、毛髪群が両ブラシに挟まれ、両ブラシの植毛が噛み合う。定位置機構の突状部と溝状部を当てると、両ブラシの植毛噛み合い深さが植毛の長さとほぼ同じになり、両ブラシの並列した植毛の間に毛髪が挟まれる。両ブラシを、毛髪群を挟んだ状態を維持して毛髪群の毛先側に移動させると、毛髪群が緊張して真っ直ぐに伸ばされる。
【００１６】
２）上記の縮毛矯正用具において、第１ブラシと第２ブラシとの植毛には、動物の天然毛と合成樹脂の人工毛とを混ぜ合わせて使用した。
動物の天然毛は、柔らかくて、毛髪に損傷を与え難い。合成樹脂の人工毛は、硬くて、毛髪に張力を与え易い。天然毛と人工毛との混合割合を増減して、植毛の強さを調整する。
【００１７】
３）上記の縮毛矯正用具において、第２ブラシの先端に、第１ブラシの先端位置から突き出る毛髪導入部を設けた。毛髪導入部は、毛髪群を導く内面を、第２ブラシに近づくに従って高くなる斜面にし、斜面の最高端を第２ブラシの植毛の先端位置から少し突き出した。
毛髪導入部は、頭髪の毛髪群を第１ブラシと第２ブラシとの間に挿入し易くする。
【００１８】
４）縮毛矯正方法は、上記の縮毛矯正用具を使用する第１パーマ剤付着工程と毛髪緊張加熱工程とを有する。
第１パーマ剤付着工程では、縮毛矯正用具のパーマ剤付着用ブラシは、パーマ剤保持用歯付き台座面に第１パーマ剤を付着して保持する。両側の髪梳き用歯は、先端を頭皮に接触し、髪梳き用歯をその歯列と交差する方向に頭皮に沿って移動する。先端が先行する傾斜状態で移動する髪梳き用歯で頭髪を梳き上げ、その頭髪に台座面の第１パーマ剤を塗布する。第１パーマ剤付きの頭髪は、髪梳き用歯で解いて、頭髪に第１パーマ剤を馴染ませる。第１パーマ剤が馴染んだ頭髪は、しばらく放置し、すすぎ洗いし、半乾きにする。頭髪には、第１パーマ剤が浸透する。
毛髪緊張加熱工程では、縮毛矯正用具の両側の柄を片手で握り、両側の柄の開放時に第１ブラシと第２ブラシとの間に両ブラシを横断する方向に沿って頭髪の一部の毛髪群を挿入する。その状態で両側の柄を強く握り、両側の柄を側方ずれ防止機構の突状部と溝状部との嵌合を維持して閉鎖する。毛髪群は、両ブラシに挟む。両ブラシは、植毛を噛み合わせる。定位置機構の突状部と溝状部を当て、両ブラシの植毛噛み合い深さを植毛の長さとほぼ同じにする。両ブラシの並列した植毛の間に毛髪を挟む。両ブラシは、毛髪群を挟んだ状態を維持して毛髪群の毛先側に移動させる。毛髪群は、緊張して真っ直ぐに伸ばす。他の片手にドライヤを持ち、ドライヤで熱風を、真っ直ぐに伸ばされた毛髪群に吹き付ける。毛髪群は、真っ直ぐに伸ばされた緊張状態で加熱して乾燥する。その後、片手に持った縮毛矯正用具の両側の柄を開放し、頭髪の他の一部を、前回と同様に、第１ブラシと第２ブラシとの間に挿入する。両側の柄は閉鎖し、毛髪群を両ブラシに挟み、両ブラシの植毛を噛み合わせる。定位置機構の突状部と溝状部を当て、両ブラシの植毛噛み合い深さを植毛の長さとほぼ同じにし、両ブラシの並列した植毛の間に毛髪を挟む。両ブラシは、毛髪群の毛先側に移動させ、毛髪群を緊張して真っ直ぐに伸ばす。他の片手に持ったドライヤで熱風を、真っ直ぐに伸ばされた毛髪群に吹き付ける。
【発明の効果】
【００１９】
縮毛矯正用具は、両側の柄の開放時に毛髪緊張用の第１ブラシと第２ブラシとの間に頭髪の毛髪群を挿入し、両側の柄を側方ずれ防止機構の突状部と溝状部との嵌合を維持して閉鎖すると、毛髪群が両ブラシに挟まれ、両ブラシの植毛が噛み合う。定位置機構の突状部と溝状部を当てると、両ブラシの植毛噛み合い深さが植毛の長さとほぼ同じになる。両ブラシの並列した植毛の間に毛髪が挟まれる。
【００２０】
両側の柄は、閉鎖時に、側方へのずれが防止され、第１ブラシと第２ブラシが頭髪の毛髪群を挟んで正面衝突する。毛髪群は、確実に挟まれる。その上、閉鎖時に、両側の柄の間の距離が一定になり、両ブラシの植毛噛み合い深さが植毛の長さとほぼ同じになる。毛髪群は、多くの毛髪が両ブラシの並列した植毛の間に挟まれる。両ブラシは、植毛が折れ難い。
【００２１】
毛髪は、均等な張力が掛かり易い。その上、損傷を受け難い。即ち、頭髪に縮れ毛のある人が自分で縮毛矯正作業を行い易い上、毛髪緊張加熱工程で毛髪に適正な張力を与え易い。
【発明を実施するための最良の形態】
【００２２】
縮毛矯正用具は、図１と図２に示すように、合成樹脂成形品の第１部材１と第２部材２とを、それらの軸部と穴部の嵌め込みによって結合している。二本の柄３、４は、それらの基端を連結してピンセット型に形成している。ピンセット型の両側の柄３、４は、片手で握って開閉する。第１部材１のある片側の柄３は、先端に、パーマ剤付着用ブラシ５と毛髪緊張用第１ブラシ６を外向きと内向きの背中合わせに設けている。他の片側の柄４は、先端に、毛髪緊張用第１ブラシ６と向い合う毛髪緊張用第２ブラシ７を設けている。毛髪緊張用第２ブラシ７の先端には、毛髪緊張用第１ブラシ６の先端位置から突き出る毛髪導入部８を設けている。
【００２３】
両側の柄３、４が開放しているときに、図１２に示すように、毛髪緊張用の第１ブラシ６と第２ブラシ７との間に頭髪ｈの毛髪群を挿入する。その挿入状態で両側の柄３、４を閉鎖する。図１３に示すように、第１ブラシ６と第２ブラシ７との間には、頭髪ｈの毛髪群を挟む。
【００２４】
パーマ剤付着用ブラシ５は、成形ブラシであり、図４に示すように、柄３のほぼ延長方向に長い台座面１１を形成している。台座面１１は、図３、図４と図５に示すように、両側辺部に、それぞれ、多数の髪梳き用歯１２を櫛形状に配列している。両側の髪梳き用歯１２は、それらの先端間が基端間より広い先広状態に配置している。台座面１１は、図４と図５に示すように、両側の髪梳き用歯１２の内側位置に、それぞれ、台座面１１の先端の歯１２と基端の歯１２の内側位置を除き、パーマ剤保持用歯１３を配置している。パーマ剤保持用歯１３は、髪梳き用歯１２より短い。台座面１１の先端の両髪梳き用歯１２間と基端の両髪梳き用歯１２間には、図３、図４と図５に示すように、それぞれ、複数のパーマ剤漏れ止め用歯１４を配置している。パーマ剤漏れ止め用歯１４は、髪梳き用歯１２より短く、パーマ剤保持用歯１３より長い。両側の髪梳き用歯１２と両端のパーマ剤漏れ止め用歯１４で囲まれた台座面１１、即ち、多数のパーマ剤保持用歯１３が突出した台座面１１に第１パーマ剤を付着して保持する。
【００２５】
第１ブラシ６は、植毛ブラシであり、第２ブラシ７と対面する内面を、柄３のほぼ延長方向に長い台座面２１に形成している。台座面２１は、図６に示すように、多数の植毛用穴２２を３列に千鳥状に配置している。各植毛用穴２２には、それぞれ、図５に示すように、多数の毛を束ねた毛束２３を植えている。
【００２６】
第２ブラシ７も、植毛ブラシであり、第１ブラシ６と対面する内面を、柄４のほぼ延長方向に長い台座面３１に形成している。台座面３１は、図７に示すように、多数の植毛用穴３２を３列に配置している。植毛用穴３２は、両側の列が中央の列より間隔が広い。各植毛用穴３２には、それぞれ、図８に示すように、多数の毛を束ねた毛束３３を植えている。
【００２７】
第１ブラシ６の毛束２３と第２ブラシ７の毛束３３は、それぞれ、動物の天然毛と合成樹脂の人工毛とを混ぜ合わせて構成している。動物の天然毛は、柔らかくて、毛髪に損傷を与え難い。豚や猪の毛が例示される。合成樹脂の人工毛は、硬くて、毛髪に張力を与え易い。ナイロンの毛が例示される。毛束２３、３３は、天然毛と人工毛との混合割合を増減して、植毛の強さを調整する。
【００２８】
第１ブラシ６の毛束２３が台座面２１から突出する長さ、即ち、第１ブラシ６の植毛の長さと、第２ブラシ７の毛束３３が台座面３１から突出する長さ、即ち、第２ブラシ７の植毛の長さは、ほぼ同じである。両側の柄３、４の閉鎖時には、図９と図１０に示すように、第１ブラシ６と第２ブラシ７の一方の植毛が他方の植毛の間に入り込んで両ブラシ６、７の植毛が噛み合う。
【００２９】
毛髪導入部８は、第１ブラシ６と第２ブラシ７との間に挿入する毛髪群を導く内面を、図２に示すように、第２ブラシ７に近づくに従って高くなる斜面にしている。この斜面は、最高端の基端を第２ブラシ７の植毛の先端位置から少し上に突き出している。毛髪導入部８は、上下の厚さ方向と左右の幅方向を先細形状にし、先端を丸めている。
【００３０】
両側の柄３、４は、図１に示すように、向い合う内面に突状部４１と溝状部４２を柄３、４に沿って形成している。突状部４１と溝状部４２は、図２に示すように、柄３、４の開放時には浅く嵌合し、また、図９に示すように、柄３、４の閉鎖時には深く嵌合している。即ち、側方ずれ防止機構を構成している。柄３、４の閉鎖時に、第１ブラシ６と第２ブラシ７が左右の側方にずれるのを防止し、両ブラシ６、７を正面衝突させる。
【００３１】
柄３、４の閉鎖時には、図９と図１１に示すように、突状部４１の頂部と溝状部４２の底部が当たる。即ち、柄３、４の閉鎖時に第１ブラシ６と第２ブラシ７の相対位置がほぼ一定になる定位置機構を構成している。柄３、４の閉鎖時には、図９と図１０に示すように、両ブラシ６、７の植毛噛み合い深さが植毛の長さとほぼ同じになる。両ブラシ６、７の植毛が全長にわたって噛み合う。
【００３２】
この縮毛矯正用具を使用して、頭髪に縮毛のある人が自分で縮毛矯正作業を行う場合、先ず、縮毛矯正用具のパーマ剤付着用ブラシ５を使用する。第１パーマ剤を縮毛のある頭髪に付着する工程である。
【００３３】
縮毛のある矯正作業者は、パーマ剤保持用歯１３付き台座面１１にクリーム状ないしペースト状の第１パーマ剤を付着して保持する。そして、両側の柄３、４を片手で握り、両側の髪梳き用歯１２の先端を自分の頭皮に接触し、髪梳き用歯１２をその歯列と交差する方向に頭皮に沿って移動し、先端が先行する傾斜状態で移動する移動前側の髪梳き用歯１２で自分の頭髪ｈを梳き上げ、その頭髪ｈに台座面１１の第１パーマ剤を塗布する。第１パーマ剤が塗布された頭髪ｈは、片側又は両側の髪梳き用歯１２で解いて、縮毛のある頭髪ｈに第１パーマ剤を馴染ませる。
【００３４】
パーマ剤付着用ブラシ５は、第１パーマ剤を塗布するのにも、馴染ませるのにも使用される。第１パーマ剤を頭髪ｈに付着するのが簡単である。
【００３５】
第１パーマ剤を付着した頭髪ｈは、しばらく放置し、すすぎ洗いし、半乾きにする。頭髪ｈには、第１パーマ剤が浸透している。第１パーマ剤付着工程で、毛髪の縮れ状態の形状保持能力が弱くなる。
【００３６】
その後、縮毛矯正用具の毛髪導入部８、毛髪緊張用の第１ブラシ６と第２ブラシ７を使用する。第１パーマ剤が浸透している頭髪ｈの毛髪を緊張して加熱する工程である。
【００３７】
矯正作業者は、縮毛矯正用具の両側の柄３、４を片手で握る。縮毛矯正用具は、図１２に略示するように、毛髪導入部８と第２ブラシ７を自分の頭髪ｈ内にその毛髪と交差する方向から挿入し、頭髪ｈの一部を毛髪導入部８で掬って毛髪導入部８上から第２ブラシ７上に乗せる。又は、他の片手で頭髪ｈの一部を掴んで毛髪導入部８上から第２ブラシ７上に乗せる。第２ブラシ７上の頭髪ｈの毛髪群は、第２ブラシ７に沿う方向に広く展開し、第２ブラシ７を横断する方向に沿って配列する。
【００３８】
第１ブラシ６と第２ブラシ７との間に両ブラシ６、７を横断する方向に沿って頭髪ｈの毛髪群を挿入した状態で、両側の柄３、４を強く握る。両側の柄３、４は、図１３に略示するように、側方ずれ防止機構の突状部４１と溝状部４２との嵌合を維持して閉鎖する。頭髪ｈの毛髪群は、両ブラシ６、７に挟み、両ブラシ６、７の植毛を噛み合わせる。更に、柄３、４の閉鎖時に、定位置機構の突状部４１の頂部と溝状部４２の底部を当て、両ブラシ６、７の植毛噛み合い深さを植毛の長さとほぼ同じにする。両ブラシ６、７は、植毛のほぼ全長にわたって噛み合う。頭髪ｈの毛髪群は、多くの毛髪が両ブラシ６、７の並列した植毛の間に挟まれる。
【００３９】
次に、両ブラシ６、７は、毛髪群を広く展開して挟んだ状態を維持して毛髪群の毛先側に移動させ、毛髪群を緊張して真っ直ぐに伸ばす。毛髪群は、毛髪に均等な張力が掛かり易い。その上、毛髪に損傷を受け難い。
【００４０】
縮毛矯正用具を片手に持った矯正作業者は、他の片手にドライヤを持ち、ドライヤで熱風を、縮毛矯正用具で真っ直ぐに伸ばされた毛髪群に吹き付ける。毛髪群は、広く展開して真っ直ぐに伸ばされた緊張状態で加熱されて乾燥する。
【００４１】
頭髪ｈの一部を緊張して加熱した後、両側の柄３、４を開放する。そして、頭髪ｈの他の一部を、前回と同様に、第１ブラシ６と第２ブラシ７との間に挿入する。その状態で、両側の柄３、４は、突状部４１と溝状部４２との嵌合を維持して閉鎖する。頭髪ｈの毛髪群は、両ブラシ６、７に挟み、両ブラシ６、７を噛み合わせる。更に、突状部４１の頂部と溝状部４２の底部を当て、両ブラシ６、７の噛み合い深さを植毛の長さとほぼ同じにする。頭髪ｈの毛髪群は、多くの毛髪が両ブラシ６、７の並列した植毛の間に挟まれる。次に、両ブラシ６、７は、毛髪群の毛先側に移動させ、毛髪群を緊張して真っ直ぐに伸ばす。真っ直ぐに伸ばされた毛髪群に、他の片手に持ったドライヤで熱風を吹き付ける。
【００４２】
縮毛矯正用具とドライヤを使用して、頭髪ｈの一部の毛髪群を緊張して加熱する操作は、繰り返す。縮毛のある頭髪ｈは、全部を緊張して加熱する。毛髪緊張加熱工程で、毛髪の縮れ状態の形状保持能力は、更に弱くなる。毛髪は、真っ直ぐになる。
【００４３】
その後、頭髪ｈに第２パーマ剤をその容器から振り掛けて塗布する。第２パーマ剤を付着した頭髪ｈは、しばらく放置し、すすぎ洗いし、乾燥する。頭髪ｈの毛髪は、真っ直ぐ状態の形状保持能力を回復する。第２パーマ剤付着工程で、毛髪は、真っ直ぐ状態に固定される。
【００４４】
頭髪ｈの縮毛は、第１パーマ剤付着工程、毛髪緊張加熱工程と第２パーマ剤付着工程を順次経て、真っ直ぐに矯正される。
【００４５】
［変形例］
１）上記の実施形態においては、毛髪導入部８は、毛髪緊張用第２ブラシ７の先端にのみ設けているが、毛髪緊張用第１ブラシ６の先端にも設ける。
【００４６】
２）上記の実施形態においては、パーマ剤付着用ブラシ５は、第１パーマ剤の付着にのみ使用するが、第２パーマ剤の付着にも使用する。
【図面の簡単な説明】
【００４７】
【図１】本発明の実施形態における縮毛矯正用具の斜視図。
【図２】同縮毛矯正用具の側面図。
【図３】同縮毛矯正用具の正面図。
【図４】同縮毛矯正用具の第１部材の平面図。
【図５】図４のＡ−Ａ線断面図。
【図６】同第１部材の植毛なし状態の底面図。
【図７】同縮毛矯正用具の第２部材の植毛なし状態の平面図。
【図８】図７のＢ−Ｂ線断面図で、植毛あり状態の図。
【図９】同縮毛矯正用具の閉鎖状態の側面図。
【図１０】図９のＣ−Ｃ線断面図。
【図１１】図９のＤ−Ｄ線断面図。
【図１２】同縮毛矯正用具の毛髪緊張用ブラシ間に頭髪の毛髪群を挿入した状態の概略図。
【図１３】同縮毛矯正用具の毛髪緊張用ブラシ間に頭髪の毛髪群を挟んだ状態の概略図。
【符号の説明】
【００４８】
１  合成樹脂成形品の第１部材
２  合成樹脂成形品の第２部材
３、４  柄
５  パーマ剤付着用ブラシ
６  毛髪緊張用の第１ブラシ
７  毛髪緊張用の第２ブラシ
８  毛髪導入部
１１  パーマ剤付着用ブラシの台座面
１２  パーマ剤付着用ブラシの髪梳き用歯
１３  パーマ剤付着用ブラシのパーマ剤保持用歯
１４  パーマ剤付着用ブラシのパーマ剤漏れ止め用歯
２１  第１ブラシの台座面
２２  第１ブラシの植毛用穴
２３  第１ブラシの毛束
３１  第２ブラシの台座面
３２  第２ブラシの植毛用穴
３３  第２ブラシの毛束
４１  側方ずれ防止機構、定位置機構の突状部
４２  側方ずれ防止機構、定位置機構の溝状部
ｈ  頭髪
【図１】
2006102363.tif 000003
【図２】
2006102363.tif 000004
【図３】
2006102363.tif 000005
【図４】
2006102363.tif 000006
【図５】
2006102363.tif 000007
【図６】
2006102363.tif 000008
【図７】
2006102363.tif 000009
【図８】
2006102363.tif 000010
【図９】
2006102363.tif 000011
【図１０】
2006102363.tif 000012
【図１１】
2006102363.tif 000013
【図１２】
2006102363.tif 000014
【図１３】
2006102363.tif 000015